(57)【特許請求の範囲】
【請求項１】
昼間太陽光は透明ガラス板及びガラス導光板を通過し、その一部の光は太陽光発電セルに当たって電気エネルギーに変換し、他の一部の光は太陽光発電セルと太陽光発電セルとの間の透明部を通過して室内に太陽光を取り込み、前記太陽光発電セルで発電した電力はガラス導光板のエッジ部に設置したエッジライトＬＥＤに供給し、昼間及び夜間を通して広告サインとして標示し、昼間発電の電力は広告板サインの下枠材に内蔵するバッテリーに充電して夜間や雨天時の広告サインの標示電源とし、前記ガラス導光板は、透明ガラス板の裏面部にセラミック系印刷発光インクのシルク印刷することによりＬＥＤ光源から透過した光を反射ドットによりガラス面に発光し、反射ドットの密度を制御することによりガラス面のグラデーションに全面又は部分的な発光を可能にすることを特徴とする広告板サイン。
【請求項２】
ガラス導光板の広告媒体の取り替え時又はエッジライトＬＥＤの照度の低下など発光機能の低下時には、外枠材からガラス導光板サインユニットを分離して交換するようにする請求項１に記載した広告板サイン。
【発明の詳細な説明】
【技術分野】
【０００１】
本発明は、建物壁面用太陽電池内蔵採光機能付き広告板サインに関するものである。
【背景技術】
【０００２】
今日、地球規模での環境保護が叫ばれているところ、照明付き広告サインの分野において、導光板屋外広告サインや室内広告サインなどが、駅舎の構内や店舗等では多く設置されている。
【０００３】
また、太陽電池を導光板と一体にして、昼間に太陽電池で発電した電力をバッテリーに充電し、その電力を夜間に天井照明装置に利用する技術としては、下記の特許文献において公知である。この特許発明は、上下方向に二枚積層された光透過性板材と、太陽エネルギーを電気エネルギーに変換するソーラーパネルと、上下二枚の前記光透過性板材と前記ソーラーパネルを支持する枠材と、前記ソーラーパネルで変換した電気エネルギーを蓄えるバッテリーと、照明用光源とを備えた照明装置付屋根構造体であって、前記ソーラーパネルは、光透過性のバックシートを備え、上下二枚の前記光透過性板材間に配置されており、下側に配置される前記光透過性板材は、上下両面から光を放射するエッジライト式両面導光板によって構成されている照明装置付屋根構造体である。
【先行技術文献】
【特許文献】
【０００４】
【特許文献１】特許第５３２１２５９号公報
【発明の概要】
【発明が解決しようとする課題】
【０００５】
しかしながら、建物の壁面や開口部に太陽電池パネルや広告サインを設置すると、屋内への採光が制限され、室内が暗くなる欠点が存していたことから、これらの課題を解決するために、本発明は、発電，導光板によるサインの標示、及び室内への採光が可能となる太陽電池内蔵・採光機能付きの広告板サインを提供することを目的とするものである。
【課題を解決するための手段】
【０００６】
第１に、昼間、太陽光は、透明ガラス板及びガラス導光板を透過して、一部の光は太陽光発電セルに当たり電気エネルギーに変換され、また一部の光は太陽光発電セルと太陽光発電セルとの間の透明部を通過して室内に取り込むことになる。（図２参照）
【０００７】
第２に、太陽光発電セルで発電した電力は、ガラス導光板のエッジ部に設置したエッジライトＬＥＤに供給され、昼間及び夜間を通して広告サインとして標示機能を有する。また、昼間、発電した電力は、広告板サインの下枠材に内蔵するバッテリーに充電し、夜間や雨天時に広告サインの標示光源となる。（図２参照）
【０００８】
第３に、ガラス導光板は、透明ガラス板の裏面部にセラミック系印刷発光インクでシルク印刷を行うことで、ＬＥＤ光源から透過した光は反射ドットにより、反射と屈折の法則によってガラス面に発光することができる。また、反射ドットの密度を制御することにより、ガラス面のグラデーション全面又は部分的な発光が可能となる。（図３参照）
【０００９】
第４に、ガラス導光板の広告媒体を取り替える場合、あるいはエッジライトＬＥＤの照度の低下など発光機能が低下した場合には、取り替えを容易にすることができるように、図５に示す要領で、上下の各外枠材からガラス導光板サインユニットを取り外して構造用シーラントを容易に脱着できる構造にする。（取付け作業工程は、図５（ａ）→（ｂ）→（ｃ）→（ｄ）参照。取外しの作業工程はこれと逆になるから（ｄ）→（ｃ）→（ｂ）→（ａ）となる。）
【発明の効果】
【００１０】
昼間に太陽光の一部を太陽光発電セルに当てて電気エネルギーに変換し、他部をセルとセルとの透明部を通過せしめて室内に取り込むことができる。
【００１１】
太陽光発電セルで発電した電力をエッジライトＬＥＤに供給し、昼間と夜間を通じて広告サインとしての機能を発揮することができる。
【００１２】
ガラス導光板はＬＥＤ光源から通過した光を反射ドットによってガラス面に発光することができる。
【００１３】
ガラス導光板の広告媒体の取り替えを容易に行うことができる。
【図面の簡単な説明】
【００１４】
【図１】本発明の一実態状態を説明するための側断面図
【図２】図１の太陽電池内蔵の採光機能付広告板部の作用説明図
【図３】ガラス導光板部の作用説明図
【図４】図１のガラス導光板部の構成部品の関係を示した斜視図で、ガラス導光板部の作用説明図
【図５】図１のガラス導光板サインユニットの取付け及び取外し作業工程を示す説明図で、取付け作業工程では、（ａ）は外枠材上部へのパネルフィンの差し込み状態を示す側断面図、（ｂ）パネルフィンを外枠材下部への差し込み状態を示す側断面図、（ｃ）は目地ビードをそれぞれ外枠材上部と下部とに嵌合してパネルフィンの取付け状態を示した側断面図、（ｄ）は目地ビードをそれぞれ嵌合してパネルフィンを固定設置した側断面図、反対の取外し作業工程では（ｄ）→（ｃ）→（ｂ）→（ａ）の順序になる。
【図６】一広告板設置後の正面図
【図７】図６Ａ−Ａ線の拡大側断面図
【図８】図６Ｂ−Ｂ線の拡大平断面図
【図９】図６のＣ−Ｃ線の拡大平断面図
【図１０】一店舗における使用例を示す斜視図
【図１１】他店舗における使用例を示す斜視図
【図１２】他々店舗における使用例を示す斜視図
【図１３】看板の使用例を示す斜視図
【発明を実施するための形態】
【００１５】
ガラス導光板サインユニットの取付け作業工程については、図５の（ａ）乃至（ｄ）に示しているところであり、（ａ）はパネルフィンを外枠材上部に差し込んで取付けた後、（ｂ）はそのパネルフィンを外枠材下部に差し込んで取付け、（ｃ）（ｄ）はその後で外枠材の上下目地にビードを嵌合してパネルフィンを固定した後、パネルの設置作業は完了するのである。
【００１６】
また、ガラス導光板サインユニットの取外し作業は、図５の（ｄ）乃至（ａ）に示した逆順序で行えばよい。
【実施例】
【００１７】
本発明における構成については、まず図１に示す実施例について説明する。
【００１８】
所定のサッシにおいて、１５は上枠材、１６は下枠材であり、この上下枠材間に、以下に説明する構成部材から成るガラス導光板サインユニット７を設置する。
【００１９】
１は屋外用の透明ガラス板で、この屋外用透明ガラス板から間隔をおいて内部に屋内用透明ガラス板６を設置し、この屋外内部の両透明ガラス板１，６間においては、以下の部材を構成する。
【００２０】
２は吸湿剤部で、この吸湿剤部で包囲された内側部は空気層３に成る。
【００２１】
４はガラス導光板で、このガラス導光板の内部には太陽光発電セル５・・を設置する。
【００２２】
７は以上の構成部材から成るガラス導光板サインユニットを示し、このユニットは前記サッシの上枠材１５と下枠材１６との間に設置するように成る。
【００２３】
８，８は前記上枠材１５と下枠材１６の各内部に構成する外枠材である。
【００２４】
９，９は前記ガラス導光板サインユニット７の上下部内側に設けたエッジライトＬＥＤで、これらのＬＥＤは前記ガラス導光板４の方向に設置する。
【００２５】
１０は前記サッシ下枠材１６の内部に設置するバッテリーで、このバッテリーは前記太陽光発電セル５・・に通ずる。
【００２６】
１１，１１は前記屋外用透明ガラス板１の上下左右両部に各設けた外側用シーラントで、この外側用シーラントに対応する内側用シーラント１２，１２は前記屋内用透明ガラス板６の上下左右両部に各設けている。
【００２７】
１３，１３は前記ガラス導光板サインユニット７を上下両枠材１５，１６の各外枠材８，８間に装着した後に取付ける目地ビードで、この目地ビードは脱着可能になるものであり、ガラス導光板サインユニットの装着時に作用するものである。
【００２８】
１４，１４は掛止めビードである。
【００２９】
１７は前記ガラス導光板４の前面部に設けたシルク印刷から成るドット面である。
【００３０】
１８は前記太陽光発電セル５・・に当たる太陽光を示し、１９は前記セル５・・を通過して室内に入る太陽光を示し、２０はＬＥＤ発光反射ドット光を示す。
【００３１】
以上の説明のうち、符号１７乃至２０に係る構成については、図２及び図３を参照して説明している。
【００３２】
２１・・はガラス導光板サインユニット７・・をそれぞれ正面外側部から固定する固定子である。
【００３３】
２２は反射シートである。
【符号の説明】
【００３４】
１                    屋外用の透明ガラス板
２                    吸湿剤部
３                    空気層
４                    ガラス導光板
５・・                太陽光発電セル
６                    屋内用の透明ガラス板
７                    ガラス導光板サインユニット
８，８                外枠材
９，９                エッジライトＬＥＤ
１０                  バッテリー
１１，１１            外側用シーラント
１２，１２            内側用シーラント
１３，１３            目地ビード
１４                  掛止めビード
１５                  上枠材
１６                  下枠材
１７                  ドット面
１８                  太陽光発電セルに当たる太陽光
１９                  太陽光発電セルを通過して室内に入る太陽光
２０                  ＬＥＤ発光反射ドット光
２１・・              固定子
２２                  反射シート
【図１】
0006389445.tif 000002
【図２】
0006389445.tif 000003
【図３】
0006389445.tif 000004
【図４】
0006389445.tif 000005
【図５】
0006389445.tif 000006
【図６】
0006389445.tif 000007
【図７】
0006389445.tif 000008
【図８】
0006389445.tif 000009
【図９】
0006389445.tif 000010
【図１０】
0006389445.tif 000011
【図１１】
0006389445.tif 000012
【図１２】
0006389445.tif 000013
【図１３】
0006389445.tif 000014